(57)【特許請求の範囲】
【請求項１】
上部開口を有する有底の筒状体であり水平方向に湾曲している飲料用グラスの側面又は側面近傍に映像表示装置を固定する映像表示装置固定器具であり、
前記映像表示装置を挿入するポケット機構と、
前記上部開口の端部と接合するコの字の形状の第1コの字フレームと、
前記上部開口の端部と接合するコの字の形状の第2コの字フレームと、
前記第1コの字フレームと前記第2コの字フレームとの間の距離を変更する距離調整機構と、
前記映像表示装置と前記飲料用グラスの間に前記映像表示装置の画像の縦横比を変更するフレネルレンズパターンがエンボス加工されているフレネルレンズ層とを備え、
前記ポケット機構は透明な誘電体から成り、
前記第1コの字フレームと前記第2コの字フレームは前記ポケット機構の上部近傍に位置しており、
前記第1コの字フレーム及び前記第2コの字フレームを前記上部開口の端部に挿入後に前記第1コの字フレームと前記第2コの字フレーム間の距離を長くすることにより前記第1コの字フレーム及び前記第2コの字フレームが前記飲料用グラスの内壁面に加える圧力を増加させ、
前記フレネルレンズ層が前記飲料用グラス内部の飲料により生じる前記画像の水平方向の拡大を相殺することを特徴とする映像表示装置固定器具。
【請求項２】
前記第1コの字フレームと前記第2コの字フレームが柔軟性を有する層に覆われていることを特徴とする請求項1に記載の映像表示装置固定器具。
【請求項３】
前記距離調整機構として前記第1コの字フレームと前記第2コの字フレームとの間の距離を調整するスライド機構を前記ポケット機構に備えることを特徴とする請求項1〜2のいずれか一項に記載の映像表示装置固定器具。
【請求項４】
請求項3に記載の映像表示装置固定器具と、
前記飲料用グラスと、
携帯型通信装置と、
外部のサーバーコンピュータと、
ユーザー操作検知部とを備え、
前記映像表示装置が前記携帯型通信装置の一部であり、
前記ユーザー操作検知部は前記携帯型通信装置の加速度センサー又はカメラセンサーの出力データに基づいてユーザーが前記飲料用グラスを移動、傾斜又は他物体へ衝突させたことを検知し、出力信号を前記外部のサーバーコンピュータに送信し、
前記外部のサーバーコンピュータは前記出力信号を受信し、その受信回数をカウントして乾杯操作累計数として記録し、ユーザーが前記乾杯操作累計数を閲覧出来ることを特徴とする遠隔地乾杯カウンターシステム。
【発明の詳細な説明】
【技術分野】
【０００１】  本発明は、映像表示装置固定器具とそれを用いた遠隔地乾杯カウンターシステムに関する。
【背景技術】
【０００２】  飲料を入れる機能以外に様々な機能を持ったグラスが開発されている。
例えば特許文献１には本願発明者が発明した飲料用演出グラスが開示されている。この飲料用演出グラスは、グラス側面に固定された映像表示装置と、飲料用グラス内部に配置された反射鏡とを備えてりおり、映像表示装置の映像を疑似的にグラス内部に投影する演出が可能なグラスである。
特許文献２には本願発明者が発明した飲料用演出グラスが開示されている。この飲料用演出グラスは、グラス側面に固定された映像表示装置と断面が平凸レンズの形状の飲料用グラスを備えており、飲料用グラス内部の飲料をレンズ代わりにして映像表示装置の映像を拡大するグラスである。
【先行技術文献】
【特許文献】
【０００３】
【特許文献１】特許第６４８８０４９号
【特許文献２】特許第６６７９０７６号
【発明の概要】
【発明が解決しようとする課題】
【０００４】  しかし、上記特許文献１〜２は飲料用グラスの側面に配置される映像表示装置を固定するための固定機構の着脱を容易に行うことが不可能である。【０００５】  本発明は上記問題を鑑み、飲料用グラスの側面に配置される映像表示装置を固定するための固定機構の着脱を容易に行うこと事が可能な飲料用グラス用の映像表示装置固定器具を提供することを課題とする。
また、その映像表示装置固定器具を用いた遠隔地乾杯カウンターシステムを提供することを課題とする。
【課題を解決するための手段】
【０００６】
本発明の映像表示装置固定器具は、上部開口を有する有底の筒状体であり水平方向に湾曲している飲料用グラスの側面又は側面近傍に映像表示装置を固定する映像表示装置固定器具であり、前記映像表示装置を挿入するポケット機構と、前記上部開口の端部と接合するコの字の形状の第1コの字フレームと、前記上部開口の端部と接合するコの字の形状の第2コの字フレームと、前記第1コの字フレームと前記第2コの字フレームとの間の距離を変更する距離調整機構と、前記映像表示装置と前記飲料用グラスの間に前記映像表示装置の画像の縦横比を変更するフレネルレンズパターンがエンボス加工されているフレネルレンズ層とを備え、前記ポケット機構は透明な誘電体から成り、前記第1コの字フレームと前記第2コの字フレームは前記ポケット機構の上部近傍に位置しており、前記第1コの字フレーム及び前記第2コの字フレームを前記上部開口の端部に挿入後に前記第1コの字フレームと前記第2コの字フレーム間の距離を長くすることにより前記第1コの字フレーム及び前記第2コの字フレームが前記飲料用グラスの内壁面に加える圧力を増加させ、前記フレネルレンズ層が前記飲料用グラス内部の飲料により生じる前記画像の水平方向の拡大を相殺することを特徴とする。
また、前記第1コの字フレームと前記第2コの字フレームが柔軟性を有する層に覆われていることを特徴とする。
また、前記距離調整機構として前記第1コの字フレームと前記第2コの字フレームとの間の距離を調整するスライド機構を前記ポケット機構に備えることを特徴とする。
本発明の遠隔地乾杯カウンターシステムは、上記映像表示装置固定器具と、上記飲料用グラスと、携帯型通信装置と、外部のサーバーコンピュータと、ユーザー操作検知部とを備え、前記映像表示装置が前記携帯型通信装置の一部であり、前記ユーザー操作検知部は前記携帯型通信装置の加速度センサー又はカメラセンサーの出力データに基づいてユーザーが前記飲料用グラスを移動、傾斜又は他物体へ衝突させたことを検知し、出力信号を前記外部のサーバーコンピュータに送信し、前記外部のサーバーコンピュータは前記出力信号を受信し、その受信回数をカウントして乾杯操作累計数として記録し、ユーザーが前記乾杯操作累計数を閲覧出来ることを特徴とする。
【発明の効果】
【０００７】  本発明の映像表示装置固定器具は、第１コの字フレームと第２コの字フレームとを備えており、飲料用グラスの上部開口の端部にそのコの字フレームを挿入することによりポケット機構を飲料用グラスに固定する事が出来る。
本発明の映像表示装置固定器具は第１コの字フレームと第２コの字フレームの間の距離を変更する距離調整機構を備えており、その距離調整機構を以って第１コの字フレームと記第２コの字フレーム間の距離を長くすることにより記第１コの字フレーム及び前記第２コの字フレームが飲料用グラスの内壁面に加える圧力が増加する方式のためどのような径のサイズの飲料用グラスに取り付ける事が可能である。また、映像表示装置固定器具と飲料用グラスの水平方向の相対位置が変わる事がないように強固にロック（又は固定）可能である。
本発明の映像表示装置固定器具は第１コの字フレームと第２コの字フレームの間の距離を変更する距離調整機構を備えており、その距離調整機構を以って第１コの字フレームと記第２コの字フレーム間の距離を長くすることによりユーザーが飲料用グラス内の飲料を飲む際のスペースを確保出来る。
本発明の映像表示装置固定器具で用いられるポケット機構は電波を通す誘電体から成るためポケット機構に挿入中の映像表示装置が携帯電話やスマートフォン等の携帯型通信装置の場合でもその携帯型通信装置の電波を妨げる事は無い。
本発明の映像表示装置固定器具は飲料用グラスの上部開口の端部に第１コの字フレームと第２コの字フレームを挿入するだけでなく、第１コの字フレーム及び第２コの字フレームが飲料用グラスの内壁面に水平方向のる圧力を加え続ける方式のため飲料用グラスを逆さまにしない限りポケット機構が飲料用グラスから脱落することは無い。そのため飲料用グラスを乾杯動作等で傾けた際も映像表示装置が飲料用グラスから脱落する事は無い。
本発明の映像表示装置固定器具は映像表示装置と飲料用グラスの間に映像表示装置の画像の縦横比を変更するフレネルレンズパターンがエンボス加工されているフレネルレンズ層を備え、そのフレネルレンズ層が飲料用グラス内部の飲料により生じる前記画像の水平方向の拡大を相殺するため飲料用グラス内の飲料のレンズ効果をキャンセル出来る（ユーザーが飲料用グラス内の飲料越しに映像表示装置の画像を視認した場合もその画像が水平方向に拡大して歪むことは無い）。
本発明の映像表示装置固定器具を用いれば様々な形状の飲料用グラスで遠隔地乾杯回数を集計して表示する遠隔地乾杯カウンターシステムを構築出来る。
【図面の簡単な説明】
【０００８】
【図１】第１の実施の形態の映像表示装置固定器具を示す斜視図（ａ）と上方断面図（ｂ）
【図２】映像表示装置固定器具に映像表示面を飲料用グラス外側方向の状態セットした例を示す斜視図（ａ）と上方断面図（ｂ）
【図３】フレネルレンズ層無しの例を示す斜視図（ａ）及びフレネルレンズ層有りの例を示す斜視図（ｂ）
【図４】フレネルレンズ層有りの例を示す断面図
【図５】遠隔地乾杯カウンターシステムの構成を示す図
【発明を実施するための形態】
【０００９】［映像表示装置固定器具の第１の実施の形態］
以下、本発明の映像表示装置固定器具の第１の実施の形態を図面を用いて示す。
図１（ａ）に示すように、本実施の形態の映像表示装置固定器具１は映像表示装置８０を挿入して固定するためのポケット機構２、飲料用グラス１０の上部開口１１の端部を挿入するためのコの字の形状の第１コの字フレーム３と第２コの字フレーム４、第１コの字フレーム３と第２コの字フレーム４との間の距離を調整する距離調整機構から概略構成される。
ポケット機構２は飲料用グラス１０の側面又は側面近傍に映像表示装置８０を支持又は固定しておくための部材である。ポケット機構２は透明な材料から成るため図１（ａ）や図１（ｂ）に示すように飲料用グラス１０側面に配置された映像表示装置８０の画像８２（或いは映像）が飲料用グラス１０の内部の飲料Ｌへ投影されるのを妨げないためこれによりユーザーＵは飲料用グラス１０越しに画像８２を視認出来る（なお、図１の破線の矢印は説明のために映像表示装置８０の画像８２の投影光の光路Ｗのイメージを表現したものである）。なお、本実施の形態では飲料用グラス１０は全て透明な材質からなる通常のグラス（例えば透明ガラス製のコップやビールジョッキ等）を想定している。図１（ａ）に示すようにポケット機構２内部の映像表示装置８０の映像表示面８１が飲料用グラス１０の内部側（あるいは飲料Ｌ側）に向いている場合でも図２（ａ）に示すように飲料用グラス１０の外側に向いている場合でもユーザーＵは映像表示装置の画像８２を視認出来る（つまりポケット機構２を透明する事により映像表示装置８０のリバーシブル固定が可能になる）。ポケット機構２は電波を通す誘電体から成るためポケット機構２の中の映像表示装置８０が携帯電話やスマートフォン等の携帯型通信装置１００の一部の場合でもその携帯型通信装置１００の電波が妨げられる事は無い。ポケット機構２の材質としては透明なガラスやアクリル樹脂等が挙げられる（ガラスは電波を良く通す誘電体の一つ）。
第１コの字フレーム３と第２コの字フレーム４はポケット機構２の上部近傍に位置しており、図１（ａ）のように飲料用グラス１０の上部開口１１の端部に第１コの字フレーム３と第２コの字フレーム４を上からに挿入することにより飲料用グラス１０の側面にポケット機構２が固定される。ポケット機構２の上部近傍に第１コの字フレーム３及び第２コの字フレーム４が位置しているためポケット機構２と映像表示装置８０の重量により第１コの字フレーム３と第２コの字フレーム４は常に下方向の力が働くためポケット機構２と飲料用グラス１０の固定強度は自然に増す。コの字フレーム３の材質としては透明なガラスやアクリル樹脂等が挙げられる。なお、第１コの字フレーム３と第２コの字フレーム４により飲料用グラス１０の表面が傷付くことを防ぐために図１（ａ）と図１（ｂ）のように第１コの字フレーム３と第２コの字フレーム４を柔軟性を有する層６で覆っても良い。
距離調整機構５は第１コの字フレーム３と第２コの字フレーム４との間の距離ｄを変化又は調整するための機構である。距離調整機構５としてはレール機構やスライド機構、ネジを用いた既知のアジャスター機構等が考えられる。距離調整機構５により第１コの字フレーム３と第２コの字フレーム４との間の距離ｄを変化させることが出来るため、様々な径のサイズの飲料用グラス１０にポケット機構２（つまり映像表示装置固定器具１）をセット出来る。図１（ｂ）のように距離調整機構５により距離ｄを長くすることにより第１コの字フレーム３及び第２コの字フレーム４が飲料用グラス１０の内壁面に加える圧力Ｆ（又はテンション）を増加させることが可能である。つまり距離調整機構５により距離ｄを調整することによりどのような径のサイズを持つ飲料用グラス１０の内壁面にも第１コの字フレーム３と第２コの字フレーム４による（水平方向の）圧力Ｆを加え続けることが出来るため、どのような径のサイズを持つ飲料用グラス１０の場合でもポケット機構２（つまり映像表示装置固定器具１）と飲料用グラス１０の水平方向の相対位置を完全にロック（固定）することが可能になる。
なお、本発明の映像表示装置固定器具１は図１（ａ）又は図１（ｂ）のように上部開口１１を有する有底の筒状体であり水平方向に湾曲している飲料用グラス１０（つまり通常のコップやジョッキの形状のグラス）に取り付けることを想定している。
【００１０】  本発明の映像表示装置固定器具１は図１（ａ）のように第１コの字フレーム３と第２コの字フレーム４との間の距離ｄを変化させることができるため第１コの字フレーム３又は第２コの字フレーム４により映像表示装置８０の画像８３が（ユーザーＵ側から見て）隠れてしまう事を防げる。
本発明の映像表示装置固定器具１は図２（ａ）のように映像表示装置８０をその映像表示面８１を飲料用グラス１０の外側に向けた状態でポケット機構２にセットしている場合、図２（ｂ）のように距離調整機構５により距離ｄを増加させることによりユーザーＵが映像表示装置固定器具１側からでも飲料用グラス１０内の飲料Ｌを飲めるスペースを確保する事が可能である（具体的には距離調整機構５を用いてユーザーＵの口部が上部開口１１に挿入可能な程度に距離ｄを増加させれば良い）。
【００１１】［映像表示装置固定器具の第２の実施の形態］
以下、本発明の映像表示装置固定器具の第２の実施の形態を図面を用いて示すが、上記第１の実施の形態の映像表示装置固定器具１と同一の構成となる箇所については同一の符号を付してその説明を省略する。
本実施の形態の映像表示装置固定器具１では、図３（ｂ）のように映像表示装置８０と飲料用グラス１０の間に映像表示装置８０の画像８２の縦横比を変更するフレネルレンズパターンがエンボス加工されているフレネルレンズ層２０を備える。
市販の通常のコップやグラス或いはジョッキと同じく飲料用グラス１０は図３（ａ）のように水平方向に湾曲しており（つまり水平方向に有限の曲率半径Ｒを持っており）、更に水の光の屈折率は約１．３３３であり空気の光の屈折率に比して大きいため、飲料用グラス１０内の飲料Ｌを透過した映像表示装置８０の画像８２の透過像８３は図３（ａ）のように水平方向に拡大して歪んでしまう（つまり飲料Ｌのレンズ効果により画像８２が水平方向に拡大されてしまう）。
図３（ａ）のように透過像８３が水平方向に拡大されて歪むのを防ぐには図３（ｂ）のように縦方向に拡大する（又は横方向に縮小する）つまり画像の縦横比を変更できるレンズを用いて飲料Ｌにより生じる前記画像の水平方向の拡大を相殺（又はキャンセル）すれば良い。具体的な方法としては図３（ｂ）又は図４のように映像表示装置８０と飲料用グラス１０の間のいずれかの位置に画像の縦横比を変更できるレンズパターンをエンボス加工又は彫刻したフレネルレンズ層２０を配置すれば良い。なお、本実施の形態の映像表示装置固定器具１に用いるフレネルレンズ又はフレネルレンズ層２０は必ず画像の縦横比を変更できるフレネルレンズパターンがエンボス加工されてなければならない。何故ならば画像の縦横比を変更しないで拡大する通常のフレネルレンズの場合は飲料Ｌのレンズ効果により画像８２が水平方向に拡大する歪みを相殺（キャンセル）出来ないからである。
なお、フレネルレンズについて補足しておくとフレネルレンズとは同心円等のレンズパターンを透明物体の表面にエンボス加工することによりその透明物体そのものをレンズ化した物である（フレネルレンズの詳細についてはレンズや光学の専門書を参照されたい）。フレネルレンズのメリットは通常の凸レンズに比して薄型化と軽量化が可能である点である。本発明の映像表示装置固定器具１ではフレネルレンズ層（フレネルレンズ層を備えたシートでも可）を用いることにより映像表示装置固定器具１の軽量化と薄型化を図っている。フレネルレンズ層２０は厚さを持つ通常の凸レンズと違うため図４のようにポケット機構２の表面か内部に埋め込むことが可能であるため映像表示装置固定器具１又はポケット機構２を極限まで薄型化出来る。
【００１２】［遠隔地乾杯カウンターシステムの実施の形態］
以下、本発明の遠隔地乾杯カウンターシステムの実施の形態について説明する。上記各実施の形態の映像表示装置固定器具と同一の構成となる箇所については同一の符号を付してその説明を省略する。
携帯電話やスマートフォン等の携帯型通信装置の殆どの機種は加速度センサーやカメラセンサーを内蔵している。加速度センサーは同センサーが内蔵されている物体の加速度に基づいて、物体の移動量、傾斜量、他物体への衝突の有無を取得出来る。カメラセンサーも画像解析により物体の移動量、傾斜量、他物体への衝突の有無を取得出来る。そこで本実施の形態の遠隔地乾杯カウンターシステムでは図５に示すように本発明の映像表示装置固定器具１と飲料用グラス１０と映像表示装置８０を内蔵した携帯型通信装置１００と外部のサーバーコンピュータ２００とユーザー操作検知部１０２とを備える。
携帯型通信装置１００のセンサー１０１（加速度センサーやカメラセンサー等）からの信号を元に飲料用グラス１０に対するユーザー操作（他の飲料用グラス３００への衝突や傾斜操作等）をユーザー操作検知部１０２にて検知して遠隔地のサーバーコンピュータ２００等に送信する。図５に示すように、遠隔地のサーバーコンピュータ２００が受信回数をカウントしてそれを乾杯操作累計数として記録して、閲覧や公開出来るようにする事により遠隔地乾杯カウンターシステムを得ることができる。
なお、ユーザー操作検知部１０２は映像表示装置固定器具１に取り付けられた専用ＩＣチップ内部に実装しても良いし、外部のサーバーコンピュータや携帯型通信装置１００に実装しても構わない。
【産業上の利用可能性】
【００１３】  本発明は、飲料用グラスへの着脱が容易な映像表示装置固定器具であるため飲料用グラスに映像表示装置を挿入するためのポケット機構が有る状態と無い状態の２つの状態をユーザーは状況に応じて素早く切り替えられる。また、飲料用グラスと映像表示装置が水平方向に完全にロック又は固定出来る。更にグラス内部の飲料のレンズ効果による画像の水平方向の拡大を相殺できる以上より本発明は産業上の利用可能性を有する。
【符号の説明】
【００１４】Ｌ  飲料（液体）
Ｕ  ユーザー
Ｗ  光路（画像の投影光の光路）
Ｆ  圧力
ｄ  距離
１  映像表示装置固定器具
２  ポケット機構
３  第１コの字フレーム
４  第２コの字フレーム
５  距離調整機構
６  柔軟性を有する層
１０  飲料用グラス
１１  上部開口
２０  フレネルレンズ層
８０  映像表示装置
８１  映像表示面
８２  画像
８３  透過像
１００  携帯型通信装置
１０１  センサー（加速度センサー、カメラセンサー）
１０２  ユーザー操作検知部
２００  サーバーコンピュータ
３００  他の飲料用グラス
【要約】
【課題】  本発明は飲料用グラスの側面に配置される映像表示装置を固定するための固定機構の着脱を容易に行うこと事が可能な飲料用グラス用の映像表示装置固定器具及び遠隔地乾杯カウンターシステムを提供することを課題とする。
【解決手段】  本発明の映像表示装置固定器具は上部開口を有する有底の筒状体であり水平方向に湾曲している飲料用グラスの側面又は側面近傍に映像表示装置を固定する映像表示装置固定器具であり、前記映像表示装置を挿入するポケット機構と、前記上部開口の端部と接合するコの字の形状の第１コの字フレームと、前記上部開口の端部と接合するコの字の形状の第２コの字フレームと、前記第１コの字フレームと前記第２コの字フレームとの間の距離を変更する距離調整機構とを備えることを特徴とする。
【選択図】図１【図１】
0006964903.tif 000002
【図２】
0006964903.tif 000003
【図３】
0006964903.tif 000004
【図４】
0006964903.tif 000005
【図５】
0006964903.tif 000006